(57)【要約】【課題】携帯電話機や化粧用コンパクトケース等の携帯品の表面に、装飾的要素、殊に個性的な装飾的要素を付与することができると共に、表面保護機能をも果たし得る物品表面の装飾保護構造を提供することを課題とする。【解決手段】表面にプリントが可能で、裏面に剥離可能な粘着層を有する粘着シート１と、粘着シート１上に配置され、前記配置状態において粘着シート１が透視可能となる紫外線硬化性ジェル層２とから成り、ジェル層２は、表面を平坦化しあるいは凹凸加工した後に紫外線を照射して硬化させたものである。【選択図】図１
0003153041.tif 000002
【実用新案登録請求の範囲】
【請求項１】
表面にプリントが可能で、裏面に剥離可能な粘着層を有する粘着シートと、前記粘着シート上に配置され、前記配置状態において前記粘着シートが透視可能となる紫外線硬化性ジェル層とから成り、前記ジェル層は、表面を平坦化しあるいは凹凸加工した後に紫外線を照射して硬化させたものであることを特徴とする物品表面の装飾構造。
【請求項２】
前記粘着シートの表面には、適宜模様、図形、絵又は写真が印刷されている、請求項１に記載の物品表面の装飾構造。
【請求項３】
前記ジェル層にはラメ等の乱反射材が混入されている、請求項１又は２に記載の物品表面の装飾構造。
【請求項４】
前記ジェル層には薄色が施されている、請求項１乃至３のいずれかに記載の物品表面の装飾構造。
【請求項５】
前記ジェル層は、色の異なる複数の層を積層したものである、請求項４に記載の物品表面の装飾構造。
【考案の詳細な説明】
【技術分野】
【０００１】
本考案は物品表面の装飾保護構造、より詳細には、主に携帯電話機や化粧用コンパクトケース等の携帯品の表面に、持ち主の好みに応じて施される装飾保護構造に関するものである。
【背景技術】
【０００２】
一般に、携帯電話機や化粧用コンパクトケース等の携帯品の表面には装飾的要素が少なく、また、特に携帯電話の場合には、頻繁に使用されることが多く、保護ケース等に入れることなく保持されることが多いために、表面に傷が付きやすい。
【０００３】
携帯電話機の表面に装飾的要素を付与するために、使用者の好みに合わせて、写真や模様等を印刷したフィルムが張られることがある。このようにフィルムを張ることにより、その表面を装飾することができるが、フィルムは極めて薄いものであるため、それで以て表面を保護することはできない。
【先行技術文献】
【特許文献】
【０００４】
【特許文献１】特開２０００−２２７７５９号公報
【特許文献２】実用新案登録第３１３７３７４号公報
【特許文献３】実用新案登録第３１１４０３６号公報
【特許文献２】実用新案登録第３１１０６９４号公報
【考案の概要】
【考案が解決しようとする課題】
【０００５】
上述したように、従来の携帯電話機や化粧用コンパクトケース等の携帯品の表面には装飾的要素が少なく、装飾的要素を付与するために写真や模様等を印刷したフィルムを張る場合においても、それで以て表面を保護することはできないという問題があった。
【０００６】
そこで本考案は、携帯電話機や化粧用コンパクトケース等の携帯品の表面に、装飾的要素、殊に個性的な装飾的要素を付与することができると共に、表面保護機能をも果たし得る物品表面の装飾保護構造を提供することを課題とする。
【課題を解決するための手段】
【０００７】
上記課題を解決するための請求項１に記載の考案は、表面にプリントが可能で、裏面に剥離可能な粘着層を有する粘着シートと、前記粘着シート上に配置され、前記配置状態において前記粘着シートが透視可能となる紫外線硬化性ジェル層とから成り、前記ジェル層は、表面を平坦化しあるいは凹凸加工した後に紫外線を照射して硬化させたものであることを特徴とする物品表面の装飾構造である。
【０００８】
本考案の一実施形態においては、前記粘着シートの表面に、適宜模様、図形、絵又は写真が印刷され、前記ジェル層にラメが混入され、前記ジェル層に薄色が施され、また、前記ジェル層は、色の異なる複数の層を積層したものとされる。
【考案の効果】
【０００９】
本考案は上述したとおりのものであって、本装飾構造が携帯電話機や化粧用コンパクトケース等の携帯品の表面に施されることにより、その粘着シート上の模様、図形、絵又は写真等がジェル層を通して透視可能となり、以てそれらの装飾的要素による装飾効果が発現され、その装飾効果は、ジェル層の表面に凹凸模様が配され、ジェル層にラメ等の乱反射材が混入され、ジェル層に薄色が施され、また、色の異なる複数のジェル層が積層されることで一層助長され、更に、前記ジェル層がある程度の弾力性を有するため、物品表面の保護機能をも期待し得る効果がある。
【図面の簡単な説明】
【００１０】
【図１】本考案に係る物品表面の装飾構造の例を示す部分破断斜視図である。
【考案を実施するための最良の形態】
【００１１】
本考案を実施するための最良の形態について、添付図面に依拠して詳細に説明する。本考案に係る物品の装飾構造は、表面に適宜模様、図形、絵又は写真等のプリントが可能で、裏面に剥離可能な粘着層を有する粘着シート１と、粘着シート１上に配置される紫外線硬化性ジェル層２とから成る。
【００１２】
粘着シート１は、例えば、インクジェットプリンター等によって表面に写真３等のプリントが可能な厚さ７５〜８５μｍの塩化ビニル樹脂フィルムで、裏面には剥離可能な粘着層を有するものとされる。ここに剥離可能とは、携帯電話機や化粧用コンパクトケース等の携帯品（以下単に「物品」とする）の物品表面５に対して十分な粘着性を有する一方、当該物品表面５に対して、残滓なくきれいに剥離できることを意味し、また、粘着度がその程度のものであることを意味する。
【００１３】
紫外線硬化性のジェル層２は、粘着シート１上に配置された状態において、粘着シート１の透視が可能となる、通例、無色又は薄色の紫外線硬化型アクリル樹脂層であり、例えば、人口爪生成用に用いられているものと同種のものである。ジェル層２内には、必要に応じ、ラメ等の乱反射材が混入される。
【００１４】
ジェル層２は、水飴のようなドロドロ状態のアクリル樹脂を物品表面５に塗布し、筆等を用いて平坦に均し、あるいは、図示した例のように、適宜盛上り部４を設ける等の凹凸加工を施して成形した後、紫外線ランプを用いて紫外線を照射して硬化させたものである。ジェル層２は、硬化する際に粘着シート１に一体化される。
【００１５】
ジェル層２にラメ等の乱反射材を混入した場合には、キラキラ感が出て装飾効果が一層高まり、また、盛上り部４を設けた場合は、粘着シート１のプリント写真３等が立体画像として透視可能となる。また、ジェル層２は単層とは限らず、色の異なる層を複数積層することにより、色彩による装飾効果を一層向上させることができる。
【００１６】
本考案に係る装飾構造は、例えば、携帯電話機や化粧用コンパクトケース等の携帯品の物品表面５に施される。その配設に当たっては、デジタルカメラやカメラ付き携帯電話を用いて撮影した画像を粘着シート１にプリントし、あるいは、予め模様、図形、絵又は写真等がプリントされている粘着シート１を選択する。そして、その粘着シート１を、その粘着層を介して物品表面５に粘着し、はみ出した部分を切除する。
【００１７】
次いで、粘着シート１上にドロドロ状態のジェルを適宜厚さに塗布し、筆等を用いて平坦に均し、あるいは、盛上り部４を設ける等の凹凸加工を施して成形する。そして、成形後、紫外線ランプを用いて紫外線を照射してジェルを硬化させてジェル層２となす。かくして、ジェル層２を通して粘着シート１の写真３等が透視可能となる。また、ジェル層２はある程度の厚みがあって弾力性を有するため、物品表面５を衝撃から保護することができる。
【００１８】
この考案をある程度詳細にその最も好ましい実施形態について説明してきたが、この考案の精神と範囲に反することなしに広範に異なる実施形態を構成することができることは明白なので、この考案は添付請求の範囲において限定した以外はその特定の実施形態に制約されるものではない。
【符号の説明】
【００１９】
１    粘着シート
２    ジェル層
３    写真
４    盛上り部
５    物品表面
【図１】
0003153041.tif 000003